(57)【要約】【課題】  着衣して腕や手を前の方に動かす動作の際に、前身頃と袖の境界付近にできるだけシワが寄りにくくなるようにし着心地の向上を図る。【解決手段】  身頃１の脇線Ｗ及び袖４の袖下線Ｔに沿って開いた展開平面において、袖側袖ぐり線Ｓｃを仮想の前身頃側仮想袖ぐり線Ｖｓ及び後身頃側袖ぐり線Ｓｂに連設して、袖下線Ｔとの交点を第１袖下ポイントＰ１とした仮想状態を設定し、肩線Ｋ及び袖山線Ｍが連結する袖山ポイントＰ０と第１袖下ポイントＰ１から所定寸法Ｈだけ内側の第２袖下ポイントＰ２とを結んだ線，第１袖下ポイントＰ１及び第２袖下ポイントＰ２を結んだ線及び前身頃側仮想袖ぐり線Ｖｓで囲繞される仮想状態における前身頃の外側エリアＥを切除し、切込み線Ｃと袖４側との間に隙間を形成して、仮想袖山線Ｖｍに対して袖山線Ｍが所定角度θだけ前身頃側に向けて傾斜するようにした。【選択図】図２
2020183595.tif 000002
【特許請求の範囲】
【請求項１】
前身頃及び該前身頃に肩線Ｋ及び脇線Ｗを境にして連設される後身頃を有した身頃と、該身頃の左右に袖ぐり線Ｓを境にして連設され上記肩線Ｋに連続する袖山線Ｍ及び該袖山線Ｍに対向する袖下線Ｔを有した一対の袖とを備えた衣服において、
上記前身頃側の袖ぐり線Ｓを前身頃側袖ぐり線Ｓａとし、上記後身頃側の袖ぐり線Ｓを後身頃側袖ぐり線Ｓｂとし、上記袖側の袖ぐり線Ｓを袖側袖ぐり線Ｓｃとし、
上記身頃の脇線Ｗ及び上記袖の袖下線Ｔに沿って開いて展開した展開平面において、
上記袖の袖側袖ぐり線Ｓｃを上記前身頃の脇線Ｗに連続する仮想の前身頃側仮想袖ぐり線Ｖｓ及び後身頃側袖ぐり線Ｓｂに連設し、上記袖の袖山線Ｍが位置する線を仮想袖山線Ｖｍとし、上記前身頃側仮想袖ぐり線Ｖｓと上記袖下線Ｔとの交点を第１袖下ポイントＰ１とした仮想状態を設定し、
上記肩線Ｋと袖山線Ｍとの連結点を袖山ポイントＰ０とし、上記前身頃の第１袖下ポイントＰ１から所定寸法Ｈだけ内側の点を第２袖下ポイントＰ２とし、
上記袖山ポイントＰ０と上記第２袖下ポイントＰ２とを結んだ線，上記第１袖下ポイントＰ１及び上記第２袖下ポイントＰ２を結んだ線及び上記前身頃側仮想袖ぐり線Ｖｓで囲繞される上記仮想状態における前身頃の外側エリアＥを切除し、
上記袖山ポイントＰ０及び第２袖下ポイントＰ２を結んだ線を前身頃側袖ぐり線Ｓａとし、上記第１袖下ポイントＰ１及び上記第２袖下ポイントＰ２を結んだ線を切込み線Ｃとし、該切込み線Ｃと上記袖側との間に隙間を形成して、該袖の袖側袖ぐり線Ｓｃを上記前身頃側袖ぐり線Ｓａ及び後身頃側袖ぐり線Ｓｂに連設し、上記仮想袖山線Ｖｍに対して上記袖山線Ｍが所定角度θだけ上記前身頃側に向けて傾斜するようにしたことを特徴とする衣服。
【請求項２】
上記身頃及び袖は身頃の上下方向中心線に対して左右対称に構成され、上記左右の第１袖下ポイントＰ１同士を結んだ前側胸周り線の長さをＬ１とし、上記肩線Ｋに沿い上記身頃の上下方向に沿う中心線と上記袖山ポイントＰ０との最短長さをＬ２とし、上記袖山ポイントＰ０と袖口との間の袖山線Ｍの長さをＬ３としたとき、上記仮想状態におけるＬ１，Ｌ２及びＬ３を維持することを特徴とする請求項１記載の衣服。
【請求項３】
上記第１袖下ポイントＰ１と第２袖下ポイントＰ２とを結んだ切込み線Ｃの所定寸法Ｈを、Ｈ＝１０ｍｍ〜１００ｍｍにしたことを特徴とする請求項１または２記載の衣服。
【請求項４】
上記前身頃側仮想袖ぐり線Ｖｓの行程長さをＤｖとし、上記前身頃側袖ぐり線Ｓａの行程長さをＤａとしたとき、Ｄｖ＝Ｄａに設定したことを特徴とする請求項３記載の衣服。
【請求項５】
上記所定角度θを、θ＝１０°〜２０°にしたことを特徴とする請求項１乃至４何れかに記載の衣服。
【請求項６】
上記身頃を、該身頃の脇線Ｗに沿って開閉可能にし、閉時に互いに付け合せ可能な前身頃側脇線Ｗａ及び後身頃側脇線Ｗｂを有して構成し、該前身頃側脇線Ｗａ及び後身頃側脇線Ｗｂに沿って上記身頃を開閉する脇開閉手段を設けたことを特徴とする請求項１乃至５何れかに記載の衣服。
【請求項７】
上記前身頃側脇線Ｗａ及び後身頃側脇線Ｗｂのいずれか一方に沿って帯状の身頃持出し部を連設し、上記前身頃側脇線Ｗａ及び後身頃側脇線Ｗｂのいずれか他方側に上記身頃持出し部が重畳可能な帯状の身頃重畳部を形成し、上記脇開閉手段を、上記身頃持出し部及び身頃重畳部に設けたことを特徴とする請求項６記載の衣服。
【請求項８】
上記前身頃及び後身頃を一体形成したことを特徴とする請求項６または７記載の衣服。
【請求項９】
上記袖を、該袖の袖下線Ｔに沿って開閉可能にし、閉時に互いに付け合せ可能な前側袖下線Ｔａ及び後側袖下線Ｔｂを有して構成し、該前側袖下線Ｔａ及び後側袖下線Ｔｂに沿って上記袖を開閉する袖開閉手段を設けたことを特徴とする請求項６乃至８何れかに記載の衣服。
【請求項１０】
上記前側袖下線Ｔａ及び後側袖下線Ｔｂのいずれか一方に沿って帯状の袖持出し部を連設し、上記前側袖下線Ｔａ及び後側袖下線Ｔｂのいずれか他方側に上記袖持出し部が重畳可能な帯状の袖重畳部を形成し、上記袖開閉手段を、上記袖持出し部及び袖重畳部に設けたことを特徴とする請求項９記載の衣服。
【請求項１１】
上記前身頃の前を開閉可能にし、閉時に互いに付け合せ可能な一方縁及び他方縁を有して構成し、該一方縁及び他方縁に沿って上記前身頃の前を開閉する前開閉手段を設けたことを特徴とする請求項１乃至１０何れかに記載の衣服。
【発明の詳細な説明】
【技術分野】
【０００１】
本発明は、前身頃及び後身頃を有した身頃に袖ぐり線を境にして一対の袖を連設した衣服に関する。
【背景技術】
【０００２】
従来から、この種の衣服は一般的であるが、例えば、特開２０１６−６９７６６号公報（特許文献１）に掲載された半纏の例で説明すると、図１０に示すように、半纏からなる衣服Ｆａは、前が開閉可能な前身頃１０１及びこの前身頃１０１に肩線Ｋ及び脇線（図示せず）を境にして連設される後身頃１０２を有した身頃１００と、身頃１００の左右に袖ぐり線Ｓを境にして連設され肩線Ｋに連続する袖山線Ｍ及び袖山線Ｍに対向する袖下線Ｔを有した一対の袖１０３とを備えている。
【先行技術文献】
【特許文献】
【０００３】
【特許文献１】特開２０１６−６９７６６号公報
【発明の概要】
【発明が解決しようとする課題】
【０００４】
ところで、一般に衣服を着衣した場合において、腕や手を動かす際には、腕を前の方に位置させる動作が多くあるが、この場合、図１０に示すように、従来の衣服Ｆａにあっては、前身頃１０１と袖１０３の境界付近１０４で、前身頃１０１や袖１０３にシワが寄り、所謂「もたつき」や「ゴロツキ」が生じ、着心地を損ねるときがあるという問題があった。特に、防寒用の衣服になると中に綿入れがなされて厚くなることから、この「もたつき」や「ゴロツキ」が大きく生じる。
【０００５】
本発明は上記の問題点に鑑みて為されたもので、着衣して腕や手を前の方に動かす動作の際に、前身頃と袖の境界付近にできるだけシワが寄りにくくなるようにし着心地の向上を図った衣服を提供することを目的とする。
【課題を解決するための手段】
【０００６】
上記の目的を達成するための本発明の衣服は、前身頃及び該前身頃に肩線Ｋ及び脇線Ｗを境にして連設される後身頃を有した身頃と、該身頃の左右に袖ぐり線Ｓを境にして連設され上記肩線Ｋに連続する袖山線Ｍ及び該袖山線Ｍに対向する袖下線Ｔを有した一対の袖とを備えた衣服において、
上記前身頃側の袖ぐり線Ｓを前身頃側袖ぐり線Ｓａとし、上記後身頃側の袖ぐり線Ｓを後身頃側袖ぐり線Ｓｂとし、上記袖側の袖ぐり線Ｓを袖側袖ぐり線Ｓｃとし、
上記身頃の脇線Ｗ及び上記袖の袖下線Ｔに沿って開いて展開した展開平面において、
上記袖の袖側袖ぐり線Ｓｃを上記前身頃の脇線Ｗに連続する仮想の前身頃側仮想袖ぐり線Ｖｓ及び後身頃側袖ぐり線Ｓｂに連設し、上記袖の袖山線Ｍが位置する線を仮想袖山線Ｖｍとし、上記前身頃側仮想袖ぐり線Ｖｓと上記袖下線Ｔとの交点を第１袖下ポイントＰ１とした仮想状態を設定し、
上記肩線Ｋと袖山線Ｍとの連結点を袖山ポイントＰ０とし、上記前身頃の第１袖下ポイントＰ１から所定寸法Ｈだけ内側の点を第２袖下ポイントＰ２とし、
上記袖山ポイントＰ０と上記第２袖下ポイントＰ２とを結んだ線，上記第１袖下ポイントＰ１及び上記第２袖下ポイントＰ２を結んだ線及び上記前身頃側仮想袖ぐり線Ｖｓで囲繞される上記仮想状態における前身頃の外側エリアＥを切除し、
上記袖山ポイントＰ０及び第２袖下ポイントＰ２を結んだ線を前身頃側袖ぐり線Ｓａとし、上記第１袖下ポイントＰ１及び上記第２袖下ポイントＰ２を結んだ線を切込み線Ｃとし、該切込み線Ｃと上記袖側との間に隙間を形成して、該袖の袖側袖ぐり線Ｓｃを上記前身頃側袖ぐり線Ｓａ及び後身頃側袖ぐり線Ｓｂに連設し、上記仮想袖山線Ｖｍに対して上記袖山線Ｍが所定角度θだけ上記前身頃側に向けて傾斜するようにした構成としている。
この場合、前身頃側仮想袖ぐり線Ｖｓ及び前身頃側袖ぐり線Ｓａは、直線，曲線あるいはこれらの組み合わせでも良く、衣服の仕様に合わせて適宜に定めてよい。
【０００７】
これにより、この衣服にあっては、その展開平面において、第２袖下ポイントＰ２が第１袖下ポイントＰ１よりも所定寸法Ｈだけ内側に位置することから、袖を縫合等で身頃に連設すると、袖の前側が切除された外側エリアＥの分前側に引っ張られて連設されるので、仮想袖山線Ｖｍに対して袖山線Ｍが所定角度θだけ前身頃側に向けて傾斜するようになる。そのため、身頃の脇線Ｗ及び袖の袖下線Ｔを連設した際には、後身頃に対しては浮き上がりが生じ、所定角度θに相応した分、袖が最初から前方向に傾斜することになる。このため、着衣して腕や手を前の方に動かす動作の際に、前身頃と袖の境界付近にシワが寄りにくくなり、所謂「もたつき」や「ゴロツキ」が生じにくくなって、着心地が向上させられる。
【０００８】
また、着衣して例えば、腕を自然に垂下した際や、腕を後の方に動かそうとする際には、多少袖の前側が後側に引っ張られるが、後身頃側袖ぐり線Ｓｂと袖側袖ぐり線Ｓｃの関係は従前と変わりなく、しかも、切込み線Ｃと袖側との間に隙間が形成されるので、この隙間の分、袖の伸縮性が確保されることから、着心地を損なう事態が防止される。また、脇下に隙間が形成されるので、腕を水平にしたり、上下させたり、回したりする動作等に対しても、隙間の分伸縮性が確保されるので、腕の動作を楽に行うことができる。
【０００９】
そして、必要に応じ、上記身頃及び袖は身頃の上下方向中心線に対して左右対称に構成され、上記左右の第１袖下ポイントＰ１同士を結んだ前側胸周り線の長さをＬ１とし、上記肩線Ｋに沿い上記身頃の上下方向に沿う中心線と上記袖山ポイントＰ０との最短長さをＬ２とし、上記袖山ポイントＰ０と袖口との間の袖山線Ｍの長さをＬ３としたとき、上記仮想状態におけるＬ１，Ｌ２及びＬ３を維持する構成としている。これにより、身頃及び袖は身頃の上下方向中心線に対して左右対称に形成されているので、作製が容易になる。また、前側胸周り線の長さ，肩線Ｋの長さ及び袖の長さが変わらないので、上記の作用，効果を確実に実現させることができる。
【００１０】
また、必要に応じ、上記第１袖下ポイントＰ１と第２袖下ポイントＰ２とを結んだ切込み線Ｃの所定寸法Ｈを、Ｈ＝１０ｍｍ〜１００ｍｍにした構成としている。衣服の種類や子供服，大人服等の大きさにもよるが、１０ｍｍ未満であるとその効果が小さく、１００ｍｍを超えると袖の傾きが大きすぎて好ましくない。この範囲で、上記の作用，効果を確実に実現させることができる。
【００１１】
この場合、上記前身頃側仮想袖ぐり線Ｖｓの行程長さをＤｖとし、上記前身頃側袖ぐり線Ｓａの行程長さをＤａとしたとき、Ｄｖ＝Ｄａに設定したことが有効である。Ｄｖ＝Ｄａなので、縫合する場合においては、ずれにくくすることができ、作製を容易にすることができる。
【００１２】
更にまた、必要に応じ、上記所定角度θを、θ＝１０°〜２０°にした構成としている。１０°未満であるとその効果が小さく、２０°を超えると袖の傾きが大きすぎて好ましくない。好ましくは、θ＝１５°±２°である。
【００１３】
そしてまた、上記身頃を、該身頃の脇線Ｗに沿って開閉可能にし、閉時に互いに付け合せ可能な前身頃側脇線Ｗａ及び後身頃側脇線Ｗｂを有して構成し、該前身頃側脇線Ｗａ及び後身頃側脇線Ｗｂに沿って上記身頃を開閉する脇開閉手段を設けた構成としている。衣服を着たり、脱ぐときには、脇開閉手段により、身頃の脇を開にすれば、衣服の身頃を展開できるので、着易くでき、あるいは、脱ぎやすくすることができる。特に、子供や年寄りに対しては、本人のみならず、第三者が行う場合に、極めて便利になる。また、展開すれば、ひざ掛けに用いるなど汎用性を向上させることができる。更に、病院などで患者用の衣服として用いる場合には、衣服を着たまま、脇を開けて注射や治療などを行うことができる。
【００１４】
この場合、上記前身頃側脇線Ｗａ及び後身頃側脇線Ｗｂのいずれか一方に沿って帯状の身頃持出し部を連設し、上記前身頃側脇線Ｗａ及び後身頃側脇線Ｗｂのいずれか他方側に上記身頃持出し部が重畳可能な帯状の身頃重畳部を形成し、上記脇開閉手段１０を、上記身頃持出し部及び身頃重畳部に設けた構成としたことが有効である。身頃持出し部と身頃重畳部とを重畳させて閉じるので、着衣した際の密閉性を向上させることができる。特に、防寒服に適用する場合には有効になる。
【００１５】
更にまた、必要に応じ、上記前身頃及び後身頃を一体形成した構成としている。身頃の製作を容易にすることができる。
【００１６】
また、必要に応じ、上記袖を、該袖の袖下線Ｔに沿って開閉可能にし、閉時に互いに付け合せ可能な前側袖下線Ｔａ及び後側袖下線Ｔｂを有して構成し、該前側袖下線Ｔａ及び後側袖下線Ｔｂに沿って上記袖を開閉する袖開閉手段を設けた構成としている。衣服を着たり、脱ぐときには、袖開閉手段により、袖下も開にできるので、衣服の身頃を展開できることに加えて、より一層、着易くでき、あるいは、脱ぎやすくすることができる。特に、子供や年寄りに対しては、本人のみならず、第三者が行う場合に、極めて便利になる。また、袖下も開にできるので、展開した際に、より大きくでき、ひざ掛けに用いるなど、より一層、汎用性を向上させることができる。更に、病院などで患者用の衣服として用いる場合には、衣服を着たまま、袖下を開けて注射や治療などを行うことができる。
【００１７】
この場合、上記前側袖下線Ｔａ及び後側袖下線Ｔｂのいずれか一方に沿って帯状の袖持出し部を連設し、上記前側袖下線Ｔａ及び後側袖下線Ｔｂのいずれか他方側に上記袖持出し部が重畳可能な帯状の袖重畳部を形成し、上記袖開閉手段を、上記袖持出し部及び袖重畳部に設けた構成としたことが有効である。袖持出し部と袖重畳部とを重畳させて閉じるので、着衣した際の密閉性をより一層向上させることができる。特に、防寒服に適用する場合には有効になる。
【００１８】
また、必要に応じ、上記前身頃の前を開閉可能にし、閉時に互いに付け合せ可能な一方縁及び他方縁を有して構成し、該一方縁及び他方縁に沿って上記前身頃の前を開閉する前開閉手段を設けた構成としている。衣服を着たり、脱ぐときには、前開閉手段により、身頃の前を開にすれば、着易くでき、あるいは、脱ぎやすくすることができる。
【発明の効果】
【００１９】
本発明によれば、その展開平面において、第２袖下ポイントＰ２が第１袖下ポイントＰ１よりも所定寸法Ｈだけ内側に位置することから、袖を縫合等で身頃に連設すると、袖の前側が前側に引っ張られて連設されるので、仮想袖山線Ｖｍに対して袖山線Ｍが所定角度θだけ前身頃側に向けて傾斜するようになる。そのため、身頃の脇線Ｗ及び袖の袖下線Ｔを連設した際には、後身頃に対しては浮き上がりが生じ、所定角度θに相応した分、袖が最初から前方向に傾斜することになる。このため、着衣して腕や手を前の方に動かす動作の際に、前身頃と袖の境界付近にシワが寄りにくくなり、所謂「もたつき」や「ゴロツキ」が生じにくくなって、着心地が向上させられる。また、着衣して例えば、腕を自然に垂下した際や、腕を後の方に動かそうとする際には、多少袖の前側が後側に引っ張られるが、後身頃側袖ぐり線Ｓｂと袖側袖ぐり線Ｓｃの関係は従前と変わりなく、しかも、切込み線Ｃと袖側との間に隙間が形成されるので、この隙間の分、袖の伸縮性が確保されることから、着心地を損なう事態が防止される。また、脇下に隙間が形成されるので、腕を水平にしたり、上下させたり、回したりする動作等に対しても、隙間の分伸縮性が確保されるので、腕の動作を楽に行うことができる。
【図面の簡単な説明】
【００２０】
【図１】本発明の実施の形態に係る衣服を着衣した状態で示す斜視図である。
【図２】本発明の実施の形態に係る衣服を展開した展開平面を仮想状態とともに示す展開平面図である。
【図３】本発明の実施の形態に係る衣服を立体的に組付けた状態で示す側面図である。
【図４】本発明の実施の形態に係る衣服を着衣して腕を上げた状態でその作用とともに示す側面図である。
【図５】本発明の実施の形態に係る衣服を立体的に組付けた状態でその作用とともに示す平面図である。
【図６】本発明の実施の形態に係る衣服において、袖開閉手段を変更した変形例の展開平面を仮想状態とともに示す展開平面図である。
【図７】本発明の別の実施の形態に係る衣服を示し、身頃の一部を展開し袖を身頃から分離して仮想状態とともに示す平面図である。
【図８】本発明の実施例に係る衣服を示し、（ａ）は後身頃を示す展開平面図、（ｂ）は前身頃の半分を仮想状態とともに示す展開平面図、（ｃ）は一方の袖を示す展開平面図である。
【図９】本発明の別の実施例に係る衣服を示し、（ａ）は後身頃を示す展開平面図、（ｂ）は前身頃の半分を仮想状態とともに示す展開平面図、（ｃ）は一方の袖を示す展開平面図である。
【図１０】従来の衣服を立体的に組付けた状態でその不具合とともに示す平面図である。
【発明を実施するための形態】
【００２１】
以下、添付図面に基づいて本発明の実施の形態に係る衣服について詳細に説明する。
図１乃至図５に示すように、実施の形態に係る衣服Ｆは、半纏であり、内部に図示外の綿入れがなされている。この半纏としての衣服Ｆは、前身頃２及び前身頃２に肩線Ｋ及び脇線Ｗを境にして連設される後身頃３を有した身頃１と、身頃１の左右に袖ぐり線Ｓを境にして連設され肩線Ｋに連続する袖山線Ｍ及び袖山線Ｍに対向する袖下線Ｔを有した一対の袖４とを備えて構成されている。実施の形態では、身頃１に対して袖４は縫合されるとともに、端末の縁も縫合処理される。図示しないが、縫合のための縫合代を有することは勿論である。実施の形態では、前身頃２側の袖ぐり線Ｓを、前身頃側袖ぐり線Ｓａとし、後身頃３側の袖ぐり線Ｓを、後身頃側袖ぐり線Ｓｂとし、袖４側の袖ぐり線Ｓを、袖側袖ぐり線Ｓｃとしている。
【００２２】
図２は、身頃１の脇線Ｗ及び袖４の袖下線Ｔに沿って開いて展開した展開平面である。この展開平面において、身頃１及び袖４は身頃１の上下方向中心線Ｑに対して左右対称に構成されている。今、左右一方側について説明すると、展開平面においては、仮想状態を設定している。仮想状態においては、袖４の袖側袖ぐり線Ｓｃを前身頃２の脇線Ｗに連続する仮想の前身頃側仮想袖ぐり線Ｖｓ及び後身頃側袖ぐり線Ｓｂに連設し、袖４の袖山線Ｍが位置する線を仮想袖山線Ｖｍとし、前身頃側仮想袖ぐり線Ｖｓと袖下線Ｔとの交点を第１袖下ポイントＰ１としている。
【００２３】
また、この展開平面において、肩線Ｋと袖山線Ｍとの連結点を袖山ポイントＰ０とし、前身頃２の第１袖下ポイントＰ１から所定寸法Ｈだけ内側の点を第２袖下ポイントＰ２としている。そして、実施の形態では、袖山ポイントＰ０と第２袖下ポイントＰ２とを結んだ線，第１袖下ポイントＰ１及び第２袖下ポイントＰ２を結んだ線及び前身頃側仮想袖ぐり線Ｖｓで囲繞される仮想状態における前身頃２の外側エリアＥを切除している。
【００２４】
これにより、実施の形態では、袖山ポイントＰ０及び第２袖下ポイントＰ２を結んだ線が前身頃側袖ぐり線Ｓａとして構成される。また、実施の形態では、第１袖下ポイントＰ１及び第２袖下ポイントＰ２を結んだ線を切込み線Ｃとしている。この場合、前身頃側仮想袖ぐり線Ｖｓ，前身頃側袖ぐり線Ｓａ及び切込み線Ｃは、直線，曲線あるいはこれらの組み合わせでも良く、衣服Ｆの仕様に合わせて適宜に定めてよい。実施の形態では直線にしている。
【００２５】
そして、切込み線Ｃと袖４側との間に隙間５を形成して、袖４の袖側袖ぐり線Ｓｃを前身頃側袖ぐり線Ｓａ及び後身頃側袖ぐり線Ｓｂに連設し、仮想袖山線Ｖｍに対して袖山線Ｍが所定角度θだけ前身頃２側に向けて傾斜するようにしている。実施の形態では、隙間５は後述の前側袖下線Ｔａの上端側及び後側袖下線Ｔｂの上端側との間に形成される。
【００２６】
より詳しくは、展開平面において、左右の第１袖下ポイントＰ１同士を結んだ前側胸周り線の長さをＬ１とし、肩線Ｋに沿い身頃１の上下方向に沿う中心線Ｑと袖山ポイントＰ０との最短長さをＬ２とし、袖山ポイントＰ０と袖口との間の袖山線Ｍの長さをＬ３としたとき、仮想状態におけるＬ１，Ｌ２及びＬ３を維持している。
【００２７】
また、第１袖下ポイントＰ１と第２袖下ポイントＰ２とを結んだ切込み線Ｃの所定寸法Ｈを、Ｈ＝１０ｍｍ〜１００ｍｍに設定している。衣服Ｆの種類や子供服，大人服等の大きさにもよるが、１０ｍｍ未満であるとその効果が小さく、１００ｍｍを超えると袖４の傾きが大きすぎて好ましくない。この範囲で、実施の形態に係る作用，効果を確実に実現させることができる。
【００２８】
更に、前身頃側仮想袖ぐり線Ｖｓの行程長さをＤｖとし、前身頃側袖ぐり線Ｓａの行程長さをＤａとしたとき、Ｄｖ＝Ｄａに設定している。即ち、第２袖下ポイントＰ２を、Ｄｖ＝Ｄａになるように定める。Ｄｖ＝Ｄａなので、縫合する場合において、ずれにくくすることができ、作製を容易にすることができる。これにより、実施の形態においては、仮想状態における第１袖下ポイントＰ１に対応する袖４の前側における袖下線Ｔ（後述の前側袖下線Ｔａ）の前側上端が、第２袖下ポイントＰ２に結合されることになる。尚、布地なので、±１ｍｍ程度の誤差は生じる。
【００２９】
更にまた、所定角度θを、θ＝１０°〜２０°に設定している。１０°未満であるとその効果が小さく、２０°を超えると袖４の傾きが大きすぎて好ましくない。好ましくは、θ＝１５°±２°である。この範囲で、実施の形態に係る作用，効果を確実に実現させることができる。
【００３０】
また、前身頃２及び後身頃３は一体形成されている。前身頃２の前の中央は、開閉可能になっており、閉時に互いに付け合せ可能な一方縁２ａ及び他方縁２ｂを有して構成されている。６は一方縁２ａ及び他方縁２ｂに連続する襟部７の開口縁である。一方縁２ａ部，他方縁２ｂ部及び襟部７は、飾り襟部材８で被覆されている。一方縁２ａ及び他方縁２ｂに沿って前身頃２の前を開閉する前開閉手段１０が設けられている。実施の形態では、前開閉手段１０は、ボタン１１とボタン１１に係合されるループ紐１２との組からなるループボタン１３で構成されている。一方縁２ａ部にループボタン１３のボタン１１が設けられ、他方縁２ｂにループボタン１３のループ紐１２が突設されている。
【００３１】
更に、身頃１は、身頃１の脇線Ｗに沿って開閉可能になっており、閉時に互いに付け合せ可能な前身頃側脇線Ｗａ及び後身頃側脇線Ｗｂを有して構成されている。前身頃側脇線Ｗａ及び後身頃側脇線Ｗｂのいずれか一方（実施の形態では後身頃側脇線Ｗｂ）に沿って、帯状の身頃持出し部１５が連設されている一方、前身頃側脇線Ｗａ及び後身頃側脇線Ｗｂのいずれか他方（実施の形態では前身頃側脇線Ｗａ）側に身頃持出し部１５が重畳可能な帯状の身頃重畳部１６が形成されている。また、前身頃側脇線Ｗａ及び後身頃側脇線Ｗｂに沿って身頃１を開閉する脇開閉手段２０が設けられている。この脇開閉手段２０は、身頃持出し部１５及び身頃重畳部１６に設けられている。実施の形態では、脇開閉手段２０は、互いに嵌合する一方ボタン２１及び他方ボタン２２の組からなるスナップボタン２３を複数列設して構成されている。スナップボタン２３の一方ボタン２１が身頃持出し部１５に止着され、他方ボタン２２が身頃重畳部１６に止着されている。
【００３２】
更にまた、袖４は、袖４の袖下線Ｔに沿って開閉可能になっており、閉時に互いに付け合せ可能な前側袖下線Ｔａ及び後側袖下線Ｔｂを有して構成されている。また、前側袖下線Ｔａ及び後側袖下線Ｔｂに沿って袖４を開閉する袖開閉手段３０が設けられている。実施の形態では、袖開閉手段３０は、ボタン３１とボタン３１に係合されるループ紐３２との組からなるループボタン３３を複数列設して構成されている。後側袖下線Ｔｂにループボタン３３のボタン３１が設けられ、前側袖下線Ｔａにループボタン３３のループ紐３２が突設されている。これにより、袖開閉手段３０により前側袖下線Ｔａ及び後側袖下線Ｔｂを閉じた状態においては、切込み線Ｃと袖４側との間に形成される隙間５は、前側袖下線Ｔａの上端側及び後側袖下線Ｔｂの上端側との間に形成される。
【００３３】
従って、この実施の形態による衣服Ｆによれば、衣服Ｆを着たり、脱ぐときには、前開閉手段１０により、身頃１の前を開にすれば、着易くでき、あるいは、脱ぎやすくすることができる。また、脇開閉手段２０により、身頃１の脇を開にすれば、衣服Ｆの身頃１を展開できるので、着易くでき、あるいは、脱ぎやすくすることができる。更に、袖開閉手段３０により、袖下も開にできるので、衣服Ｆの身頃１を展開できることに加えて、より一層、着易くでき、あるいは、脱ぎやすくすることができる。特に、子供や年寄りに対しては、本人のみならず、第三者が行う場合に、極めて便利になる。また、展開した際に、ひざ掛けに用いるなど、汎用性を向上させることができる。更に、病院などで患者用の衣服Ｆとして用いる場合には、衣服Ｆを着たまま、脇や袖下を開けて注射や治療などを行うことができる。
【００３４】
そしてまた、実施の形態に係る衣服Ｆによれば、図２に示すように、その展開平面において、第２袖下ポイントＰ２が第１袖下ポイントＰ１よりも所定寸法Ｈだけ内側に位置することから、袖４を縫合等で身頃１に連設すると、袖４の前側が切除された外側エリアＥの分前側に引っ張られて連設されるので、即ち、袖４の前側が所定寸法Ｈ分前側に引っ張られて連設されるので、仮想袖山線Ｖｍに対して袖山線Ｍが所定角度θだけ前身頃２側に向けて傾斜するようになる。そのため、図５に示すように、身頃１の脇線Ｗ及び袖４の袖下線Ｔを連設した際には、後身頃３に対しては浮き上がりが生じ、所定角度θに相応した分、袖４が最初から前方向に傾斜することになる（図５中実線）。このため、着衣して腕や手を前の方に動かす動作の際に（図５中二点鎖線）、前身頃２と袖４の境界付近にシワが寄りにくくなり、所謂「もたつき」や「ゴロツキ」が生じにくくなって、着心地が向上させられる。
【００３５】
また、着衣して例えば、腕を自然に垂下した際や、腕を後の方に動かそうとする際には、多少袖４の前側が後側に引っ張られるが、後身頃側袖ぐり線Ｓｂと袖側袖ぐり線Ｓｃの関係は従前と変わりなく、しかも、切込み線Ｃと袖４側との間に隙間５が形成されるので、この隙間５の分、袖４の伸縮性が確保されることから、着心地を損なう事態が防止される。また、図４に示すように、脇下に隙間５が形成されるので、腕を水平にしたり、上下させたり、回したりする動作等に対しても、隙間５の分伸縮性が確保されるので、腕の動作を楽に行うことができる。
【００３６】
更に、身頃１及び袖４は身頃１の上下方向中心線Ｑに対して左右対称に形成されているので、作製が容易になる。更にまた、前側胸周り線の長さＬ１，中心線Ｑと袖山ポイントＰ０との最短長さＬ２，袖山線Ｍの長さＬ３が、仮想状態におけるＬ１，Ｌ２及びＬ３を維持しているので、前側胸周り線の長さ，肩線Ｋの長さ及び袖４の長さが変わらないことから、この点でも作製が容易になる。また、上記の作用，効果を確実に実現させることができる。
【００３７】
図６には、本発明の実施の形態に係る衣服Ｆにおいて、袖開閉手段３０を変更した変形例を示す。この衣服Ｆの袖４において、前側袖下線Ｔａ及び後側袖下線Ｔｂのいずれか一方（実施の形態では前身頃側袖下線Ｔａ）に沿って帯状の袖持出し部４０を連設し、前側袖下線Ｔａ及び後側袖下線Ｔｂのいずれか他方（実施の形態では後身頃側袖下線Ｔｂ）側に袖持出し部４０が重畳可能な帯状の袖重畳部４１を形成している。袖開閉手段３０は、袖持出し部４０及び袖重畳部４１に設けられている。袖開閉手段３０は、互いに嵌合する一方ボタン３５及び他方ボタン３６の組からなるスナップボタン３７を複数列設して構成されている。スナップボタン３７の一方ボタン３５が袖持出し部４０に止着され、他方ボタン３６が袖重畳部４１に止着されている。上記と同様の作用，効果を奏する。
【００３８】
図７には、本発明の別の実施の形態に係る衣服Ｆを示す。この衣服Ｆは、例えば、身頃１が前開きのスーツであり、袖下線Ｔが縫合された袖４を備えている。そして、上記と同様に、身頃１の展開平面において、袖４の袖側袖ぐり線Ｓｃを前身頃２の脇線Ｗに連続する仮想の前身頃側仮想袖ぐり線Ｖｓ及び後身頃側袖ぐり線Ｓｂに連設し、前身頃側仮想袖ぐり線Ｖｓと袖下線Ｔとの交点を第１袖下ポイントＰ１とした仮想状態を設定している。前身頃側仮想袖ぐり線Ｖｓ及び後身頃側袖ぐり線Ｓｂは曲線で構成される。
【００３９】
本実施の形態においても、肩線Ｋと袖山線Ｍとの連結点を袖山ポイントＰ０とし、前身頃２の第１袖下ポイントＰ１から所定寸法Ｈだけ内側の点を第２袖下ポイントＰ２とし、袖山ポイントＰ０と第２袖下ポイントＰ２とを結んだ線，第１袖下ポイントＰ１及び第２袖下ポイントＰ２を結んだ線及び前身頃側仮想袖ぐり線Ｖｓで囲繞される仮想状態における前身頃２の外側エリアＥを切除している。また、袖山ポイントＰ０及び第２袖下ポイントＰ２を結んだ線を前身頃側袖ぐり線Ｓａとし、第１袖下ポイントＰ１及び第２袖下ポイントＰ２を結んだ線を切込み線Ｃとしている。ここでは、前身頃側仮想袖ぐり線Ｖｓの行程長さをＤｖとし、前身頃側袖ぐり線Ｓａの行程長さをＤａとしたとき、Ｄｖ＞Ｄａに設定している。
【００４０】
そして、切込み線Ｃと袖４の袖側袖ぐり線Ｓｃとの間に隙間５（図示せず）を形成して、袖４の袖側袖ぐり線Ｓｃを前身頃側袖ぐり線Ｓａ及び後身頃側袖ぐり線Ｓｂに連設するようにしている。図７中、符号５０は、袖側袖ぐり線Ｓｃの内、切込み線Ｃに対応し、前身頃側袖ぐり線Ｓａに連設されない非縫合部であり、切込み線Ｃとともに隙間５（図示せず）を形成する。これによっても、上記と同様の作用，効果を奏する。
【実施例】
【００４１】
図８には、本発明の実施例に係る衣服Ｆを示す。これは、子供服の例であり、身頃の前身頃側脇線Ｗａ及び後身頃側脇線Ｗｂに沿って開閉可能，袖４の袖下線Ｔに沿って開閉可能，前身頃２の前が開閉可能に形成されている。図８（ａ）に示す後身頃３は、下側の本体３ａと、本体３ａに縫合される上側のヨーク３ｂとからなる。図８（ｂ）に示す前身頃２において、斜線部分が切除される外側エリアＥを示す。符号２ｃは、前身頃２の他方縁２ｂの内側に折返して縫合される折返し部である。また、図８（ｃ）に示す袖４において、符号５１は、前側袖下線Ｔａに沿って連設した袖持出し部、符号５２は、切込み線Ｃに沿うとともに袖持出し部５１の前身頃側袖ぐり線Ｓａに連設されない非縫合部、符号５３は、袖側袖ぐり線Ｓｃの内ギャザーを施すギャザー部分である。尚、図８中、寸法の単位は（ｃｍ）である。
【００４２】
図９には、本発明の別の実施例に係る衣服Ｆを示す。これは、婦人服の例であり、身頃の前身頃側脇線Ｗａ及び後身頃側脇線Ｗｂに沿って開閉可能，袖４の袖下線Ｔに沿って開閉可能，前身頃２の前が開閉可能に形成されている。図９（ｂ）中、斜線部分が切除される外側エリアＥを示す。尚、図９中、寸法の単位は（ｃｍ）である。
【００４３】
尚、上記実施の形態では、前身頃２の前を開閉可能にしたが、必ずしもこれに限定されるものではなく、開閉しないタイプであっても良く、適宜変更して差支えない。また、脇線Ｗ，袖下線Ｔも、開閉しないタイプであっても良く、適宜変更して差支えない。更に、衣服Ｆの種類も、半纏，スーツ，子供服，婦人服等、袖４のある衣服Ｆであれば、どのような衣服であっても本発明を適用できることは勿論である。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００４４】
Ｆ  衣服
１  身頃
２  前身頃
２ａ  一方縁
２ｂ  他方縁
３  後身頃
３ａ  本体
３ｂ  ヨーク
４  袖
５  隙間
６  開口縁
７  襟部
８  飾り襟部材
Ｋ  肩線
Ｗ  脇線
Ｗａ  前身頃側脇線
Ｗｂ  後身頃側脇線
Ｓ  袖ぐり線
Ｓａ  前身頃側袖ぐり線
Ｓｂ  後身頃側袖ぐり線
Ｓｃ  袖側袖ぐり線
Ｍ  袖山線
Ｔ  袖下線
Ｔａ  前側袖下線
Ｔｂ  後側袖下線
Ｑ  中心線
Ｖｓ  前身頃側仮想袖ぐり線
Ｖｍ  仮想袖山線
Ｐ０  袖山ポイント
Ｐ１  第１袖下ポイント
Ｐ２  第２袖下ポイント
Ｅ  外側エリア
Ｃ  切込み線
θ  所定角度
１０  前開閉手段
１１  ボタン
１２  ループ紐
１３  ループボタン
１５  身頃持出し部
１６  身頃重畳部
２０  脇開閉手段
２１  一方ボタン
２２  他方ボタン
２３  スナップボタン
３０  袖開閉手段
３１  ボタン
３２  ループ紐
３３  ループボタン
３５  一方ボタン
３６  他方ボタン
３７  スナップボタン
４０  袖持出し部
４１  袖重畳部
５０  非縫合部
５１  袖持出し部
５２  非縫合部
５３  ギャザー部
【図１】
2020183595.tif 000003
【図２】
2020183595.tif 000004
【図３】
2020183595.tif 000005
【図４】
2020183595.tif 000006
【図５】
2020183595.tif 000007
【図６】
2020183595.tif 000008
【図７】
2020183595.tif 000009
【図８】
2020183595.tif 000010
【図９】
2020183595.tif 000011
【図１０】
2020183595.tif 000012
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
前身頃及び該前身頃に肩線（Ｋ）及び脇線（Ｗ）を境にして連設される後身頃を有した身頃と、該身頃の左右に袖ぐり線（Ｓ）を境にして連設され上記肩線（Ｋ）に連続する袖山線（Ｍ）及び該袖山線（Ｍ）に対向する袖下線（Ｔ）を有した一対の袖とを備えた衣服において、
上記前身頃側の袖ぐり線（Ｓ）を前身頃側袖ぐり線（Ｓａ）とし、上記後身頃側の袖ぐり線（Ｓ）を後身頃側袖ぐり線（Ｓｂ）とし、上記袖側の袖ぐり線（Ｓ）を袖側袖ぐり線（Ｓｃ）とし、
上記身頃の脇線（Ｗ）及び上記袖の袖下線（Ｔ）に沿って開いて展開した展開平面において、
上記袖の袖側袖ぐり線（Ｓｃ）を上記前身頃の脇線（Ｗ）に連続する仮想の前身頃側仮想袖ぐり線（Ｖｓ）及び後身頃側袖ぐり線（Ｓｂ）に連設し、上記肩線（Ｋ）に連続する仮想袖山線（Ｖｍ）を想定し、上記前身頃側仮想袖ぐり線（Ｖｓ）と上記袖下線（Ｔ）との交点を第１袖下ポイント（Ｐ１）とした仮想状態を設定し、
上記肩線（Ｋ）と袖山線（Ｍ）との連結点を袖山ポイント（Ｐ０）とし、上記前身頃の第１袖下ポイント（Ｐ１）から所定寸法（Ｈ）だけ内側の点を第２袖下ポイント（Ｐ２）とし、
上記袖山ポイント（Ｐ０）と上記第２袖下ポイント（Ｐ２）とを結んだ線，上記第１袖下ポイント（Ｐ１）及び上記第２袖下ポイント（Ｐ２）を結んだ線及び上記前身頃側仮想袖ぐり線（Ｖｓ）で囲繞される上記仮想状態における前身頃の外側エリア（Ｅ）を切除し、
上記袖山ポイント（Ｐ０）及び第２袖下ポイント（Ｐ２）を結んだ線を前身頃側袖ぐり線（Ｓａ）とし、上記第１袖下ポイント（Ｐ１）及び上記第２袖下ポイント（Ｐ２）を結んだ線を切込み線（Ｃ）とし、
該展開平面において、上記袖の袖側袖ぐり線（Ｓｃ）を上記前身頃側袖ぐり線（Ｓａ）及び後身頃側袖ぐり線（Ｓｂ）に連設した状態で、上記仮想袖山線（Ｖｍ）に対して上記袖山線（Ｍ）が所定角度（θ）だけ上記前身頃側に向けて傾斜するようにし、
上記切込み線（Ｃ）と上記袖の上端側との間に孔状の隙間を形成して、上記身頃の脇線（Ｗ）及び上記袖の袖下線（Ｔ）を閉じることを特徴とする衣服。
【請求項２】
上記身頃及び袖は身頃の上下方向中心線に対して左右対称に構成されることを特徴とする請求項１記載の衣服。
【請求項３】
上記第１袖下ポイント（Ｐ１）と第２袖下ポイント（Ｐ２）とを結んだ切込み線（Ｃ）の所定寸法（Ｈ）を、Ｈ＝１０ｍｍ〜１００ｍｍにしたことを特徴とする請求項１または２記載の衣服。
【請求項４】
上記前身頃側仮想袖ぐり線（Ｖｓ）の行程長さをＤｖとし、上記前身頃側袖ぐり線（Ｓａ）の行程長さをＤａとしたとき、Ｄｖ＝Ｄａに設定したことを特徴とする請求項３記載の衣服。
【請求項５】
上記所定角度（θ）を、θ＝１０°〜２０°にしたことを特徴とする請求項１乃至４何れかに記載の衣服。
【請求項６】
上記身頃を、該身頃の脇線（Ｗ）に沿って開閉可能にし、閉時に互いに付け合せ可能な前身頃側脇線（Ｗａ）及び後身頃側脇線（Ｗｂ）を有して構成し、該前身頃側脇線（Ｗａ）及び後身頃側脇線（Ｗｂ）に沿って上記身頃を開閉する脇開閉手段を設けたことを特徴とする請求項１乃至５何れかに記載の衣服。
【請求項７】
上記前身頃側脇線（Ｗａ）及び後身頃側脇線（Ｗｂ）のいずれか一方に沿って帯状の身頃持出し部を連設し、上記前身頃側脇線（Ｗａ）及び後身頃側脇線（Ｗｂ）のいずれか他方側に上記身頃持出し部が重畳可能な帯状の身頃重畳部を形成し、上記脇開閉手段を、上記身頃持出し部及び身頃重畳部に設けたことを特徴とする請求項６記載の衣服。
【請求項８】
上記前身頃及び後身頃を一体形成したことを特徴とする請求項６または７記載の衣服。
【請求項９】
上記袖を、該袖の袖下線Ｔに沿って開閉可能にし、閉時に互いに付け合せ可能な前側袖下線（Ｔａ）及び後側袖下線（Ｔｂ）を有して構成し、該前側袖下線（Ｔａ）及び後側袖下線（Ｔｂ）に沿って上記袖を開閉する袖開閉手段を設けたことを特徴とする請求項６乃至８何れかに記載の衣服。
【請求項１０】
上記前側袖下線（Ｔａ）及び後側袖下線（Ｔｂ）のいずれか一方に沿って帯状の袖持出し部を連設し、上記前側袖下線（Ｔａ）及び後側袖下線（Ｔｂ）のいずれか他方側に上記袖持出し部が重畳可能な帯状の袖重畳部を形成し、上記袖開閉手段を、上記袖持出し部及び袖重畳部に設けたことを特徴とする請求項９記載の衣服。
【請求項１１】
上記前身頃の前を開閉可能にし、閉時に互いに付け合せ可能な一方縁及び他方縁を有して構成し、該一方縁及び他方縁に沿って上記前身頃の前を開閉する前開閉手段を設けたことを特徴とする請求項１乃至１０何れかに記載の衣服。
【手続補正２】
【補正対象書類名】明細書
【補正対象項目名】０００６
【補正方法】変更
【補正の内容】
【０００６】
上記の目的を達成するための本発明の衣服は、前身頃及び該前身頃に肩線Ｋ及び脇線Ｗを境にして連設される後身頃を有した身頃と、該身頃の左右に袖ぐり線Ｓを境にして連設され上記肩線Ｋに連続する袖山線Ｍ及び該袖山線Ｍに対向する袖下線Ｔを有した一対の袖とを備えた衣服において、
上記前身頃側の袖ぐり線Ｓを前身頃側袖ぐり線Ｓａとし、上記後身頃側の袖ぐり線Ｓを後身頃側袖ぐり線Ｓｂとし、上記袖側の袖ぐり線Ｓを袖側袖ぐり線Ｓｃとし、
上記身頃の脇線Ｗ及び上記袖の袖下線Ｔに沿って開いて展開した展開平面において、
上記袖の袖側袖ぐり線Ｓｃを上記前身頃の脇線Ｗに連続する仮想の前身頃側仮想袖ぐり線Ｖｓ及び後身頃側袖ぐり線Ｓｂに連設し、上記肩線Ｋに連続する仮想袖山線Ｖｍを想定し、上記前身頃側仮想袖ぐり線Ｖｓと上記袖下線Ｔとの交点を第１袖下ポイントＰ１とした仮想状態を設定し、
上記肩線Ｋと袖山線Ｍとの連結点を袖山ポイントＰ０とし、上記前身頃の第１袖下ポイントＰ１から所定寸法Ｈだけ内側の点を第２袖下ポイントＰ２とし、
上記袖山ポイントＰ０と上記第２袖下ポイントＰ２とを結んだ線，上記第１袖下ポイントＰ１及び上記第２袖下ポイントＰ２を結んだ線及び上記前身頃側仮想袖ぐり線Ｖｓで囲繞される上記仮想状態における前身頃の外側エリアＥを切除し、
上記袖山ポイントＰ０及び第２袖下ポイントＰ２を結んだ線を前身頃側袖ぐり線Ｓａとし、上記第１袖下ポイントＰ１及び上記第２袖下ポイントＰ２を結んだ線を切込み線Ｃとし、
該展開平面において、上記袖の袖側袖ぐり線Ｓｃを上記前身頃側袖ぐり線Ｓａ及び後身頃側袖ぐり線Ｓｂに連設した状態で、上記仮想袖山線Ｖｍに対して上記袖山線Ｍが所定角度θだけ上記前身頃側に向けて傾斜するようにし、
上記切込み線Ｃと上記袖の上端側との間に孔状の隙間を形成して、上記身頃の脇線Ｗ及び上記袖の袖下線Ｔを閉じる構成としている。
この場合、前身頃側仮想袖ぐり線Ｖｓ及び前身頃側袖ぐり線Ｓａは、直線，曲線あるいはこれらの組み合わせでも良く、衣服の仕様に合わせて適宜に定めてよい。
【手続補正３】
【補正対象書類名】明細書
【補正対象項目名】０００９
【補正方法】変更
【補正の内容】
【０００９】
そして、必要に応じ、上記身頃及び袖は身頃の上下方向中心線に対して左右対称に構成している。この場合、上記左右の第１袖下ポイントＰ１同士を結んだ前側胸周り線の長さをＬ１とし、上記肩線Ｋに沿い上記身頃の上下方向に沿う中心線と上記袖山ポイントＰ０との最短長さをＬ２とし、上記袖山ポイントＰ０と袖口との間の袖山線Ｍの長さをＬ３としたとき、上記仮想状態におけるＬ１，Ｌ２及びＬ３は変わらずに維持される。これにより、身頃及び袖は身頃の上下方向中心線に対して左右対称に形成されているので、作製が容易になる。また、前側胸周り線の長さ，肩線Ｋの長さ及び袖の長さが変わらないので、上記の作用，効果を確実に実現させることができる。
【手続補正４】
【補正対象書類名】明細書
【補正対象項目名】００２２
【補正方法】変更
【補正の内容】
【００２２】
図２は、身頃１の脇線Ｗ及び袖４の袖下線Ｔに沿って開いて展開した展開平面である。この展開平面において、身頃１及び袖４は身頃１の上下方向中心線Ｑに対して左右対称に構成されている。今、左右一方側について説明すると、展開平面においては、仮想状態を設定している。仮想状態においては、袖４の袖側袖ぐり線Ｓｃを前身頃２の脇線Ｗに連続する仮想の前身頃側仮想袖ぐり線Ｖｓ及び後身頃側袖ぐり線Ｓｂに連設し、肩線Ｋに連続する仮想袖山線Ｖｍを想定し、前身頃側仮想袖ぐり線Ｖｓと袖下線Ｔとの交点を第１袖下ポイントＰ１としている。
【手続補正５】
【補正対象書類名】明細書
【補正対象項目名】００２５
【補正方法】変更
【補正の内容】
【００２５】
そして、展開平面において、袖４の袖側袖ぐり線Ｓｃを前身頃側袖ぐり線Ｓａ及び後身頃側袖ぐり線Ｓｂに連設した状態で、仮想袖山線Ｖｍに対して袖山線Ｍが所定角度θだけ前身頃側に向けて傾斜するようにしている。この状態で、図４に示すように、切込み線Ｃと袖４の上端側との間に孔状の隙間５を形成して、身頃１の脇線Ｗ及び袖４の袖下線Ｔを閉じる構成としている。即ち、実施の形態では、隙間５は後述の前側袖下線Ｔａの上端側及び後側袖下線Ｔｂの上端側との間に形成される。
【手続補正６】
【補正対象書類名】明細書
【補正対象項目名】００４０
【補正方法】変更
【補正の内容】
【００４０】
そして、切込み線Ｃと袖４の袖側袖ぐり線Ｓｃとの間に孔状の隙間５（図示せず）を形成して、袖４の袖側袖ぐり線Ｓｃを前身頃側袖ぐり線Ｓａ及び後身頃側袖ぐり線Ｓｂに連設するとともに、身頃の脇線Ｗ及び袖の袖下線Ｔを閉じる構成としている。図７中、符号５０は、袖側袖ぐり線Ｓｃの内、切込み線Ｃに対応し、前身頃側袖ぐり線Ｓａに連設されない非縫合部であり、切込み線Ｃとともに孔状の隙間５（図示せず）を形成する。これによっても、上記と同様の作用，効果を奏する。